(57)【要約】  無線通信装置１００は、無線通信を行う装置である。無線通信装置１００は、互いに異なる位置に配置された複数のアンテナ１０１ａ，１０１ｂ，…と、ユーザが無線通信装置１００を保持している位置である保持位置を特定するための保持位置特定情報を取得し、複数のアンテナ１０１ａ，１０１ｂ，…の中から、当該取得された保持位置特定情報により特定される保持位置と異なる位置に配置されたアンテナを選択するアンテナ選択部（アンテナ選択手段）１０２と、を備える。無線通信装置１００は、選択されたアンテナを介して無線通信を行うように構成される。
2011048747.tif 000002
【特許請求の範囲】
【請求項１】
無線通信を行う無線通信装置であって、
互いに異なる位置に配置された複数のアンテナと、
ユーザが当該無線通信装置を保持している位置である保持位置を特定するための保持位置特定情報を取得し、前記複数のアンテナの中から、当該取得された保持位置特定情報により特定される保持位置と異なる位置に配置されたアンテナを選択するアンテナ選択手段と、
を備え、
前記選択されたアンテナを介して無線通信を行うように構成された無線通信装置。
【請求項２】
請求項１に記載の無線通信装置であって、
前記保持位置特定情報と、前記アンテナを特定するためのアンテナ特定情報と、を対応付けて記憶する情報記憶手段を備え、
前記アンテナ選択手段は、前記取得された保持位置特定情報と対応付けて前記記憶されているアンテナ特定情報により特定される前記アンテナを選択するように構成された無線通信装置。
【請求項３】
請求項１又は請求項２に記載の無線通信装置であって、
画像を表す画像情報を生成する画像情報生成手段と、
前記生成された画像情報が表す画像を表示する表示器と、
を備え、
前記画像情報生成手段は、前記表示器に対する前記画像の回転位置である画像回転位置を、互いに異なる複数の画像回転位置から選択し、当該選択した画像回転位置を有する画像を表す前記画像情報を生成するように構成され、
前記アンテナ選択手段は、前記選択された画像回転位置を表す画像回転位置情報を前記保持位置特定情報として取得するように構成された無線通信装置。
【請求項４】
請求項３に記載の無線通信装置であって、
前記アンテナ選択手段は、前記選択された画像回転位置が変化した時点から、予め設定された遅延時間が経過した後に、当該変化後の画像回転位置を表す画像回転位置情報を前記保持位置特定情報として取得するように構成された無線通信装置。
【請求項５】
請求項１又は請求項２に記載の無線通信装置であって、
前記アンテナ選択手段は、ユーザに対する前記無線通信装置の回転位置である装置回転位置を検出し、当該検出された装置回転位置を表す装置回転位置情報を前記保持位置特定情報として取得するように構成された無線通信装置。
【請求項６】
請求項５に記載の無線通信装置であって、
前記アンテナ選択手段は、地磁気を検出する地磁気センサを含み、当該地磁気センサにより検出された地磁気に基づいて前記装置回転位置を検出するように構成された無線通信装置。
【請求項７】
請求項１又は請求項２に記載の無線通信装置であって、
前記アンテナ選択手段は、前記保持位置を検出し、当該検出された保持位置を表す保持位置情報を前記保持位置特定情報として取得するように構成された無線通信装置。
【請求項８】
請求項７に記載の無線通信装置であって、
前記アンテナ選択手段は、光の強度を検出する光センサを含み、当該光センサにより検出された光の強度に基づいて前記保持位置を検出するように構成された無線通信装置。
【請求項９】
請求項１又は請求項２に記載の無線通信装置であって、
画像を表す画像情報を生成する画像情報生成手段と、
前記生成された画像情報が表す画像を表示する表示器と、
を備え、
前記画像情報生成手段は、前記表示器に対する前記画像の回転位置である画像回転位置を、互いに異なる複数の画像回転位置から選択し、当該選択した画像回転位置を有する画像を表す前記画像情報を生成するように構成され、
前記アンテナ選択手段は、ユーザに対する前記無線通信装置の回転位置である装置回転位置を検出し、当該検出された装置回転位置を表す装置回転位置情報と、前記選択された画像回転位置を表す画像回転位置情報と、に基づいて前記保持位置特定情報を取得するように構成された無線通信装置。
【請求項１０】
請求項１乃至請求項９のいずれか一項に記載の無線通信装置であって、
前記複数のアンテナは、
ユーザに対する当該無線通信装置の回転位置である装置回転位置が第１の装置回転位置である場合に、当該ユーザとの間の距離が最も長くなる端部である第１の端部に配置された第１のアンテナと、
前記装置回転位置が、前記第１の装置回転位置と異なる第２の装置回転位置である場合に、前記ユーザとの間の距離が最も長くなる端部である第２の端部に配置された第２のアンテナと、
を含み、
前記アンテナ選択手段は、前記第１のアンテナ及び前記第２のアンテナのいずれか一方を選択するように構成された無線通信装置。
【請求項１１】
無線通信を行う携帯電話装置であって、
互いに異なる位置に配置された複数のアンテナと、
ユーザが当該携帯電話装置を保持している位置である保持位置を特定するための保持位置特定情報を取得し、前記複数のアンテナの中から、当該取得された保持位置特定情報により特定される保持位置と異なる位置に配置されたアンテナを選択するアンテナ選択手段と、
を備え、
前記選択されたアンテナを介して無線通信を行うように構成された携帯電話装置。
【請求項１２】
請求項１１に記載の携帯電話装置であって、
前記保持位置特定情報と、前記アンテナを特定するためのアンテナ特定情報と、を対応付けて記憶する情報記憶手段を備え、
前記アンテナ選択手段は、前記取得された保持位置特定情報と対応付けて前記記憶されているアンテナ特定情報により特定される前記アンテナを選択するように構成された携帯電話装置。
【請求項１３】
請求項１１又は請求項１２に記載の携帯電話装置であって、
画像を表す画像情報を生成する画像情報生成手段と、
前記生成された画像情報が表す画像を表示する表示器と、
を備え、
前記画像情報生成手段は、前記表示器に対する前記画像の回転位置である画像回転位置を、互いに異なる複数の画像回転位置から選択し、当該選択した画像回転位置を有する画像を表す前記画像情報を生成するように構成され、
前記アンテナ選択手段は、前記選択された画像回転位置を表す画像回転位置情報を前記保持位置特定情報として取得するように構成された携帯電話装置。
【請求項１４】
請求項１１又は請求項１２に記載の携帯電話装置であって、
前記アンテナ選択手段は、ユーザに対する前記携帯電話装置の回転位置である装置回転位置を検出し、当該検出された装置回転位置を表す装置回転位置情報を前記保持位置特定情報として取得するように構成された携帯電話装置。
【請求項１５】
請求項１１又は請求項１２に記載の携帯電話装置であって、
前記アンテナ選択手段は、前記保持位置を検出し、当該検出された保持位置を表す保持位置情報を前記保持位置特定情報として取得するように構成された携帯電話装置。
【請求項１６】
互いに異なる位置に配置された複数のアンテナを備えるとともに、無線通信を行う無線通信装置に適用され、
ユーザが当該無線通信装置を保持している位置である保持位置を特定するための保持位置特定情報を取得し、
前記複数のアンテナの中から、前記取得された保持位置特定情報により特定される保持位置と異なる位置に配置されたアンテナを選択し、
前記選択されたアンテナを介して無線通信を行う、無線通信方法。
【請求項１７】
請求項１６に記載の無線通信方法であって、
前記保持位置特定情報と、前記アンテナを特定するためのアンテナ特定情報と、を対応付けて記憶する記憶装置に、前記取得された保持位置特定情報と対応付けて記憶されているアンテナ特定情報により特定される前記アンテナを選択するように構成された無線通信方法。
【請求項１８】
請求項１６又は請求項１７に記載の無線通信方法であって、
前記無線通信装置は、画像情報が表す画像を表示する表示器を備え、
前記表示器に対する前記画像の回転位置である画像回転位置を、互いに異なる複数の画像回転位置から選択し、
前記選択された画像回転位置を有する画像を表す前記画像情報を生成し、
前記選択された画像回転位置を表す画像回転位置情報を前記保持位置特定情報として取得するように構成された無線通信方法。
【請求項１９】
請求項１６又は請求項１７に記載の無線通信方法であって、
ユーザに対する前記無線通信装置の回転位置である装置回転位置を検出し、
前記検出された装置回転位置を表す装置回転位置情報を前記保持位置特定情報として取得するように構成された無線通信方法。
【請求項２０】
請求項１６又は請求項１７に記載の無線通信方法であって、
前記保持位置を検出し、
前記検出された保持位置を表す保持位置情報を前記保持位置特定情報として取得するように構成された無線通信方法。
【請求項２１】
互いに異なる位置に配置された複数のアンテナを備えるとともに、無線通信を行う無線通信装置に、
ユーザが当該無線通信装置を保持している位置である保持位置を特定するための保持位置特定情報を取得し、前記複数のアンテナの中から、当該取得された保持位置特定情報により特定される保持位置と異なる位置に配置されたアンテナを選択するアンテナ選択手段を実現させるとともに、
前記選択されたアンテナを介して無線通信を行わせるプログラム。
【請求項２２】
請求項２１に記載のプログラムであって、
前記アンテナ選択手段は、前記保持位置特定情報と、前記アンテナを特定するためのアンテナ特定情報と、を対応付けて記憶する記憶装置に、前記取得された保持位置特定情報と対応付けて記憶されているアンテナ特定情報により特定される前記アンテナを選択するように構成されたプログラム。
【請求項２３】
請求項２１又は請求項２２に記載のプログラムであって、
前記無線通信装置は、画像情報が表す画像を表示する表示器を備え、
前記無線通信装置に、更に、
画像を表す画像情報を生成する画像情報生成手段を実現させるとともに、
前記画像情報生成手段は、前記表示器に対する前記画像の回転位置である画像回転位置を、互いに異なる複数の画像回転位置から選択し、当該選択した画像回転位置を有する画像を表す前記画像情報を生成するように構成され、
前記アンテナ選択手段は、前記選択された画像回転位置を表す画像回転位置情報を前記保持位置特定情報として取得するように構成されたプログラム。
【請求項２４】
請求項２１又は請求項２２に記載のプログラムであって、
前記無線通信装置は、ユーザに対する前記無線通信装置の回転位置である装置回転位置を検出する装置回転位置検出器を備え、
前記アンテナ選択手段は、前記検出された装置回転位置を表す装置回転位置情報を前記保持位置特定情報として取得するように構成されたプログラム。
【請求項２５】
請求項２１又は請求項２２に記載のプログラムであって、
前記無線通信装置は、前記保持位置を検出する保持位置検出器を備え、
前記アンテナ選択手段は、前記検出された保持位置を表す保持位置情報を前記保持位置特定情報として取得するように構成されたプログラム。
【発明の詳細な説明】
【技術分野】
【０００１】
本発明は、複数のアンテナを備える無線通信装置に関する。
【背景技術】
【０００２】
アンテナを備え、そのアンテナを介して無線通信を行う無線通信装置が知られている。この種の無線通信装置の一つとして、特許文献１に記載の無線通信装置は、複数のアンテナを備える。【０００３】
この無線通信装置は、各アンテナが受信する無線信号の強度である受信レベルを検出する。そして、無線通信装置は、検出された受信レベルが最大となったアンテナを選択し、選択したアンテナにより受信された無線信号を受け付けるように構成されている。これにより、無線通信装置は、無線通信の品質が過度に低下することを防止することができる。
【先行技術文献】
【特許文献】
【０００４】
【特許文献１】特開平７−２６３９４０号公報
【発明の概要】
【発明が解決しようとする課題】
【０００５】
ところで、上記無線通信装置は、受信レベルを検出する回路を設けるとともに、検出した受信レベルを比較するための回路を設ける必要があった。即ち、これらの回路を設置するための領域を確保するために、無線通信装置が比較的大きくなってしまうという問題があった。また、検出した受信レベルを比較するための処理を処理装置が実行するように無線通信装置が構成されている場合には、処理装置の負荷が過大となってしまうという問題があった。【０００６】
このため、本発明の目的は、上述した課題である「無線通信装置が比較的大きくなるとともに、処理装置の負荷が過大となってしまう場合が生じること」を解決することが可能な無線通信装置を提供することにある。
【課題を解決するための手段】
【０００７】
かかる目的を達成するため本発明の一形態である無線通信装置は、無線通信を行う装置である。【０００８】
更に、この無線通信装置は、
互いに異なる位置に配置された複数のアンテナと、
ユーザが当該無線通信装置を保持している位置である保持位置を特定するための保持位置特定情報を取得し、上記複数のアンテナの中から、当該取得された保持位置特定情報により特定される保持位置と異なる位置に配置されたアンテナを選択するアンテナ選択手段と、
を備え、
上記選択されたアンテナを介して無線通信を行うように構成される。【０００９】
また、本発明の他の形態である携帯電話装置は、無線通信を行う装置である。【００１０】
更に、この携帯電話装置は、
互いに異なる位置に配置された複数のアンテナと、
ユーザが当該携帯電話装置を保持している位置である保持位置を特定するための保持位置特定情報を取得し、上記複数のアンテナの中から、当該取得された保持位置特定情報により特定される保持位置と異なる位置に配置されたアンテナを選択するアンテナ選択手段と、
を備え、
上記選択されたアンテナを介して無線通信を行うように構成される。【００１１】
また、本発明の他の形態である無線通信方法は、
互いに異なる位置に配置された複数のアンテナを備えるとともに、無線通信を行う無線通信装置に適用され、
ユーザが当該無線通信装置を保持している位置である保持位置を特定するための保持位置特定情報を取得し、
上記複数のアンテナの中から、上記取得された保持位置特定情報により特定される保持位置と異なる位置に配置されたアンテナを選択し、
上記選択されたアンテナを介して無線通信を行う方法である。【００１２】
また、本発明の他の形態であるプログラムは、
互いに異なる位置に配置された複数のアンテナを備えるとともに、無線通信を行う無線通信装置に、
ユーザが当該無線通信装置を保持している位置である保持位置を特定するための保持位置特定情報を取得し、上記複数のアンテナの中から、当該取得された保持位置特定情報により特定される保持位置と異なる位置に配置されたアンテナを選択するアンテナ選択手段を実現させるとともに、
上記選択されたアンテナを介して無線通信を行わせる。
【発明の効果】
【００１３】
本発明は、以上のように構成されることにより、無線通信装置の大きさを小さくすることができるとともに、処理装置を備える場合には処理装置の負荷が過大となることを防止することができる。
【図面の簡単な説明】
【００１４】
【図１】本発明の第１実施形態に係る無線通信装置の概略構成を表す図である。
【図２】装置回転位置が第１の装置回転位置である場合における無線通信装置を示した図である。
【図３】装置回転位置が第２の装置回転位置である場合における無線通信装置を示した図である。
【図４】本発明の第１実施形態に係る無線通信装置の概略構成を表すブロック図である。
【図５】装置回転位置が第１の装置回転位置であり且つ画像回転位置が第２の画像回転位置である場合における無線通信装置を示した図である。
【図６】本発明の第２実施形態に係る無線通信装置の概略構成を表すブロック図である。
【図７】本発明の第３実施形態に係る無線通信装置の概略構成を表すブロック図である。
【図８】本発明の第４実施形態に係る無線通信装置の概略構成を表すブロック図である。
【発明を実施するための形態】
【００１５】
以下、本発明に係る、無線通信装置、携帯電話装置、無線通信方法、及び、プログラム、の各実施形態について図１〜図８を参照しながら説明する。
【００１６】
＜第１実施形態＞
図１に示したように、第１実施形態に係る無線通信装置１は、第１の本体部１０と、第２の本体部２０と、ヒンジ部３０と、を備える。本例では、無線通信装置１は、折り畳み式の携帯電話装置である。
【００１７】
また、無線通信装置１は、後述するように、図示しない中央処理装置（ＣＰＵ；Ｃｅｎｔｒａｌ  Ｐｒｏｃｅｓｓｉｎｇ  Ｕｎｉｔ）及び記憶装置（本例では、メモリ）を含む制御部を備える。制御部は、メモリに記憶されている所定のプログラムをＣＰＵが実行することにより、無線通信装置１を構成する各部を制御する。
【００１８】
第１の本体部１０及び第２の本体部２０のそれぞれは、長方形状を有する平板状の部材である。ヒンジ部３０は、第１の本体部１０の端部のうちの長辺の一方を構成する端部と、第２の本体部２０の端部のうちの長辺の一方を構成する端部と、を揺動可能に連結する。
【００１９】
第１の本体部１０は、長方形状を有する第１のディスプレイ（第１の表示器）１１を備える。第１のディスプレイ１１は、タッチパネル式のディスプレイである。第１のディスプレイ１１は、文字及び図形等からなる画像を表す画像情報を制御部から受け付ける。第１のディスプレイ１１は、受け付けた画像情報が表す画像を表示する。
【００２０】
また、第１のディスプレイ１１は、表示している画像に含まれるボタンがユーザによって押された場合（即ち、ボタンが表示された位置にて第１のディスプレイ１１が押された場合）に、そのボタンに対応付けられた情報を受け付け、受け付けた情報を制御部へ出力する。
【００２１】
第２の本体部２０は、第１のディスプレイ１１と同様の機能を有する第２のディスプレイ（第２の表示器）２１を備える。更に、第２の本体部２０は、複数（本例では、２つ）のボタン式スイッチ２２を備える。
【００２２】
加えて、無線通信装置１は、複数（本例では、３つ）のアンテナ４１，４２，４３を備える。各アンテナ４１，４２，４３は、無線信号としての電波（電磁波）を外部へ放射（送信）するとともに、外部から無線信号としての電波を受信するように構成されている。複数のアンテナ４１，４２，４３は、互いに異なる位置に配置されている。
【００２３】
アンテナ４１は、第１の本体部１０の内部に埋設されている。アンテナ４１は、無線通信装置１の正面視において、第１の本体部１０が上側に位置し、且つ、第２の本体部２０が下側に位置する場合に、第１の本体部１０の左側の端部（即ち、第１の本体部１０の端部のうちの、短辺の一方を構成する端部）に配置されている。
【００２４】
アンテナ（第２のアンテナ）４２は、第２の本体部２０の内部に埋設されている。アンテナ４２は、無線通信装置１の正面視において、第１の本体部１０が上側に位置し、且つ、第２の本体部２０が下側に位置する場合に、第２の本体部２０の左側の端部（即ち、第２の本体部２０の端部のうちの、短辺の一方を構成する端部）に配置されている。
【００２５】
アンテナ（第１のアンテナ）４３は、第１の本体部１０の内部に埋設されている。アンテナ４３は、無線通信装置１の正面視において、第１の本体部１０が上側に位置し、且つ、第２の本体部２０が下側に位置する場合に、第１の本体部１０の右上側の隅部（即ち、第１の本体部１０の端部のうちの、長辺の一方と短辺の一方との交点を構成する端部）に配置されている。
【００２６】
なお、本例では、図１及び図２に示したように、ユーザが無線通信装置１を見た場合に、第１の本体部１０が上側に位置し、且つ、第２の本体部２０が下側に位置する状態における装置回転位置を第１の装置回転位置と呼ぶ。ここで、装置回転位置は、ユーザに対する無線通信装置１の回転位置（回転方向における位置、回転角度）である。
【００２７】
また、図３に示したように、ユーザが無線通信装置１を見た場合に、第１の本体部１０が右側に位置し、且つ、第２の本体部２０が左側に位置する状態における装置回転位置を第２の装置回転位置と呼ぶ。即ち、本例では、第１の装置回転位置と第２の装置回転位置とは、装置回転位置が９０度だけ異なる回転位置である。
【００２８】
従って、装置回転位置が第２の装置回転位置である場合、第２のアンテナ４２は、無線通信装置１の上側の端部に位置する。即ち、第２のアンテナ４２は、装置回転位置が第２の装置回転位置である場合に、ユーザとの間の距離が最も長くなる端部（第２の端部）に配置されている、と言うことができる。
【００２９】
また、装置回転位置が第１の装置回転位置である場合、第１のアンテナ４３は、無線通信装置１の上側の端部に位置する。即ち、第１のアンテナ４３は、装置回転位置が第１の装置回転位置である場合に、ユーザとの間の距離が最も長くなる端部（第１の端部）に配置されている、と言うことができる。
【００３０】
ところで、ユーザは、無線通信装置１の端部のうちの、当該ユーザとの間の距離が最も短くなる端部（即ち、下側の端部）を保持することが多い。従って、上記構成によれば、装置回転位置が第１の装置回転位置である場合には、第１のアンテナ４３の位置が保持位置と異なる位置となり、一方、装置回転位置が第２の装置回転位置である場合には、第２のアンテナ４２の位置が保持位置と異なる位置となる。
【００３１】
この結果、無線通信装置１は、装置回転位置が第１の装置回転位置及び第２の装置回転位置のいずれである場合においても、保持位置と異なる位置に配置されたアンテナを確実に選択することができる。
【００３２】
加えて、無線通信装置１は、図４に示したように、制御部（画像情報生成手段、アンテナ選択手段、情報記憶手段）５１と、無線送受信部５２と、無線受信部５３と、高周波スイッチ５４と、を備える。
【００３３】
制御部５１は、実行中のプログラムから出力される指示に応じて、又は、ユーザにより入力された指示に応じて、画像回転位置を、互いに異なる複数の画像回転位置から選択する。ここで、画像回転位置は、表示器（第１のディスプレイ１１又は第２のディスプレイ２１、即ち、無線通信装置１）に対する画像の回転位置である。
【００３４】
本例では、制御部５１は、第１の画像回転位置と、第２の画像回転位置と、のいずれか一方を選択する。第１の画像回転位置は、図２に示したように、装置回転位置が第１の装置回転位置である場合において、表示器の上方向と画像の上方向とが一致する画像回転位置である。即ち、本例では、第１の画像回転位置を有する画像は、横方向の長さが縦方向の長さよりも長い（横長の）画像である。
【００３５】
また、第２の画像回転位置は、図５に示したように、装置回転位置が第１の装置回転位置である場合において、表示器の上方向と画像の右方向とが一致する画像回転位置である。即ち、本例では、第２の画像回転位置を有する画像は、横方向の長さが縦方向の長さよりも短い（縦長の）画像である。このように、本例では、第１の画像回転位置と第２の画像回転位置とは、画像回転位置が９０度だけ異なる回転位置である。
【００３６】
そして、制御部５１は、選択した画像回転位置を有する画像を表す画像情報を、第１のディスプレイ１１及び第２のディスプレイ２１のそれぞれに対して生成する。制御部５１は、生成した画像情報を第１のディスプレイ１１及び第２のディスプレイ２１のそれぞれへ出力する。
【００３７】
また、制御部５１は、送信情報を生成し、生成した送信情報を無線送受信部５２へ出力する。また、制御部５１は、無線送受信部５２及び無線受信部５３のそれぞれから受信情報を受け付ける。
【００３８】
無線送受信部５２は、制御部５１から送信情報を受け付ける。無線送受信部５２は、受け付けた送信情報に基づく無線信号をアンテナ４１から送信させる。また、無線送受信部５２は、アンテナ４１により受信された無線信号を受け付ける。無線送受信部５２は、受け付けた無線信号に基づく受信情報を制御部５１へ出力する。
【００３９】
また、制御部５１は、ユーザが無線通信装置１を保持している位置である保持位置を特定するための保持位置特定情報を取得する。本例では、制御部５１は、選択された画像回転位置を表す画像回転位置情報を保持位置特定情報として取得する。
【００４０】
加えて、制御部５１は、複数のアンテナ４２，４３の中から、取得された保持位置特定情報により特定される保持位置と異なる位置に配置されたアンテナを選択する。即ち、本例では、制御部５１は、第１のアンテナ４３及び第２のアンテナ４２のいずれか一方を選択する。
【００４１】
具体的には、制御部５１は、保持位置特定情報と、アンテナを特定するためのアンテナ特定情報と、を対応付けて予め記憶装置に記憶させている。即ち、記憶装置は、第１の画像回転位置を表す保持位置特定情報と、第１のアンテナ４３を特定するためのアンテナ特定情報と、を対応付けて記憶するとともに、第２の画像回転位置を表す保持位置特定情報と、第２のアンテナ４２を特定するためのアンテナ特定情報と、を対応付けて記憶している。そして、制御部５１は、取得された保持位置特定情報と対応付けて記憶装置に記憶されているアンテナ特定情報により特定されるアンテナを選択する。
【００４２】
制御部５１は、選択されたアンテナを表す選択指示信号を高周波スイッチ５４へ出力する。
【００４３】
高周波スイッチ５４は、第１のアンテナ４３により受信された無線信号を無線受信部５３へ出力する第１の状態と、第２のアンテナ４２により受信された無線信号を無線受信部５３へ出力する第２の状態と、のいずれか一方に状態が切り替わるように構成されている。
【００４４】
高周波スイッチ５４は、制御部５１から選択指示信号を受け付ける。高周波スイッチ５４は、受け付けた選択指示信号が表すアンテナが第１のアンテナ４３である場合、状態を第１の状態に設定する。一方、高周波スイッチ５４は、受け付けた選択指示信号が表すアンテナが第２のアンテナ４２である場合、状態を第２の状態に設定する。
【００４５】
無線受信部５３は、高周波スイッチ５４を経由して、第１のアンテナ４３又は第２のアンテナ４２により受信された無線信号を受け付ける。無線受信部５３は、受け付けた無線信号に基づく受信情報を制御部５１へ出力する。
【００４６】
このような構成により、無線通信装置１は、選択されたアンテナを介して無線通信を行うように構成されている、と言うことができる。
【００４７】
次に、上述した無線通信装置１の作動について具体的に説明する。
いま、図２に示したように、第１のディスプレイ１１及び第２のディスプレイ２１が、第１の画像回転位置を有する画像を出力している場合を想定する。
【００４８】
この場合、ユーザは、左手によって、楕円ＲＡ１により囲まれた領域にて無線通信装置１を保持するとともに、右手によって、楕円ＲＡ２により囲まれた領域にて無線通信装置１を保持する。
【００４９】
一方、この場合、制御部５１は、上述したように、第１のアンテナ４３を選択し、第１のアンテナ４３を表す選択指示信号を高周波スイッチ５４へ出力する。これにより、高周波スイッチ５４は、状態を第１の状態に設定する。これにより、無線通信装置１は、選択されたアンテナである第１のアンテナ４３と、アンテナ４１と、を介して無線通信を行う。
【００５０】
即ち、無線通信装置１は、保持位置と異なる位置に配置されたアンテナ４１，４３を介して無線通信を行う。この結果、無線通信の品質が過度に低下することを防止することができる。
【００５１】
次いで、制御部５１が出力する画像情報が表す画像の画像回転位置が第１の画像回転位置から第２の画像回転位置へ変化した場合を想定する。
【００５２】
この場合、図５に示したように、第１のディスプレイ１１及び第２のディスプレイ２１が、第２の画像回転位置を有する画像を出力する。
この画像を見たユーザは、保持位置を変更する。即ち、ユーザは、図３に示したように、左手によって、楕円ＲＢ１により囲まれた領域にて無線通信装置１を保持するとともに、右手によって、楕円ＲＢ２により囲まれた領域にて無線通信装置１を保持する。
【００５３】
一方、この場合、制御部５１は、上述したように、第２のアンテナ４２を選択し、第２のアンテナ４２を表す選択指示信号を高周波スイッチ５４へ出力する。これにより、高周波スイッチ５４は、状態を第２の状態に切り替える。これにより、無線通信装置１は、選択されたアンテナである第２のアンテナ４２と、アンテナ４１と、を介して無線通信を行う。
【００５４】
即ち、無線通信装置１は、保持位置と異なる位置に配置されたアンテナ４１，４２を介して無線通信を行う。この結果、無線通信の品質が過度に低下することを防止することができる。
【００５５】
以上、説明したように、本発明による無線通信装置の第１実施形態によれば、無線通信装置１は、保持位置と異なる位置に配置されたアンテナを介して無線通信を行うことができる。この結果、無線通信の品質が過度に低下することを防止することができる。
【００５６】
更に、第１実施形態によれば、受信レベルを検出する回路を設けるとともに、検出した受信レベルを比較するための回路を設ける必要がない。従って、無線通信装置１の大きさを小さくすることができる。また、検出した受信レベルを比較するための処理を処理装置が実行する必要がないので、処理負荷が過大となることを防止することもできる。
【００５７】
加えて、第１実施形態において、制御部５１は、選択された画像回転位置を表す画像回転位置情報を保持位置特定情報として取得するように構成されている。
ところで、表示器（第１のディスプレイ１１及び第２のディスプレイ２１）に対する画像の回転位置が変化した場合、ユーザは、保持位置を変更することが多い。従って、第１実施形態によれば、実際の保持位置に応じた保持位置特定情報を高い精度にて取得することができる。
【００５８】
なお、第１実施形態の変形例において、制御部５１は、選択された画像回転位置が変化した時点から、予め設定された遅延時間が経過した後に、当該変化後の画像回転位置を表す画像回転位置情報を保持位置特定情報として取得するように構成されていてもよい。
【００５９】
ところで、表示器に表示される画像の画像回転位置が変化した場合、画像回転位置が変化した時点から、ユーザが無線通信装置１の保持位置を変更するまでには、遅延時間を要することが多い。従って、この変形例によれば、実際に保持位置が変化したタイミングと、選択されるアンテナを変更するタイミングと、をより一層近づけることができる。この結果、無線通信の品質が過度に低下することをより一層確実に防止することができる。
【００６０】
また、第１実施形態の他の変形例において、無線通信装置１は、保持位置特定情報に基づいて選択したアンテナにより受信された無線信号を受け付ける（即ち、選択したアンテナを介して無線信号を受信する）ように構成されていたが、選択したアンテナを介して無線信号を送信するように構成されていてもよい。また、無線通信装置１は、選択したアンテナを介して無線信号を送信及び受信するように構成されていてもよい。
【００６１】
＜第２実施形態＞
次に、本発明の第２実施形態に係る無線通信装置について説明する。第２実施形態に係る無線通信装置は、上記第１実施形態に係る無線通信装置に対して、ユーザに対する無線通信装置の回転位置（装置回転位置）を検出し、検出された装置回転位置に基づいて保持位置特定情報を取得する点において相違している。従って、以下、かかる相違点を中心として説明する。
【００６２】
第２実施形態に係る無線通信装置１は、図６に示したように、第１実施形態に係る無線通信装置１の構成に加えて、地磁気センサ（アンテナ選択手段の一部、装置回転位置検出器）５５を備える。地磁気センサ５５は、地磁気を検出する。
【００６３】
制御部５１は、地磁気センサ５５により検出された地磁気に基づいて装置回転位置を検出する。本例では、制御部５１は、検出された地磁気の大きさが予め設定された基準値よりも大きい場合に、装置回転位置が第１の装置回転位置であると検出し、一方、検出された地磁気の大きさが上記基準値よりも小さい場合に、装置回転位置が第２の装置回転位置であると検出する。
【００６４】
制御部５１は、検出された装置回転位置を表す装置回転位置情報を保持位置特定情報として取得する。
本例では、制御部５１が備える記憶装置は、第１の装置回転位置を表す保持位置特定情報と、第１のアンテナ４３を特定するためのアンテナ特定情報と、を対応付けて記憶するとともに、第２の装置回転位置を表す保持位置特定情報と、第２のアンテナ４２を特定するためのアンテナ特定情報と、を対応付けて記憶している。そして、制御部５１は、取得された保持位置特定情報と対応付けて記憶装置に記憶されているアンテナ特定情報により特定されるアンテナを選択する。
【００６５】
ところで、ユーザは、ユーザに対する無線通信装置１の回転位置を変更する際、保持位置を変更することが多い。従って、上記構成によれば、実際の保持位置に応じた保持位置特定情報を高い精度にて取得することができる。
【００６６】
この第２実施形態に係る無線通信装置によっても、第１実施形態と同様の作用及び効果を奏することができる。
【００６７】
なお、第２実施形態の変形例において、制御部５１は、検出された装置回転位置を表す装置回転位置情報と、選択された画像回転位置を表す画像回転位置情報と、に基づいて保持位置特定情報を取得するように構成されていてもよい。
【００６８】
これによれば、装置回転位置情報及び画像回転位置情報のいずれか一方に基づいて保持位置特定情報を取得する場合よりも、実際の保持位置に応じた保持位置特定情報を高い精度にて取得することができる。
【００６９】
＜第３実施形態＞
次に、本発明の第３実施形態に係る無線通信装置について説明する。第３実施形態に係る無線通信装置は、上記第１実施形態に係る無線通信装置に対して、保持位置を検出し、検出された保持位置に基づいて保持位置特定情報を取得する点において相違している。従って、以下、かかる相違点を中心として説明する。
【００７０】
第３実施形態に係る無線通信装置１は、図７に示したように、第１実施形態に係る無線通信装置１の構成に加えて、複数の光センサ（アンテナ選択手段の一部、保持位置検出器）５６を備える。
【００７１】
第３実施形態に係る無線通信装置１には、外部に開口する開口部が複数形成される。本例では、複数の開口部は、無線通信装置１の４つの隅部のそれぞれに配置される。
光センサ５６は、複数の開口部のそれぞれに対して１つずつ配設される。各光センサ５６は、開口部を介して外部から入射する光の強度を検出する。
【００７２】
制御部５１は、光センサ５６により検出された光の強度に基づいて保持位置を検出する。本例では、制御部５１は、予め設定された基準値よりも小さい光の強度が検出された位置を保持位置として検出する。本例では、保持位置は、第１の保持位置と、第２の保持位置と、のいずれか一方である。第１の保持位置は、装置回転位置が第１の装置回転位置である場合に、無線通信装置１の下側に位置する２つの隅部である。第２の保持位置は、装置回転位置が第２の装置回転位置である場合に、無線通信装置１の下側に位置する２つの隅部である。
【００７３】
制御部５１は、検出された保持位置を表す保持位置情報を保持位置特定情報として取得する。
本例では、制御部５１が備える記憶装置は、第１の保持位置を表す保持位置特定情報と、第１のアンテナ４３を特定するためのアンテナ特定情報と、を対応付けて記憶するとともに、第２の保持位置を表す保持位置特定情報と、第２のアンテナ４２を特定するためのアンテナ特定情報と、を対応付けて記憶している。そして、制御部５１は、取得された保持位置特定情報と対応付けて記憶装置に記憶されているアンテナ特定情報により特定されるアンテナを選択する。
【００７４】
この第３実施形態に係る無線通信装置によっても、第１実施形態と同様の作用及び効果を奏することができる。
【００７５】
＜第４実施形態＞
次に、本発明の第４実施形態に係る無線通信装置について図８を参照しながら説明する。
第４実施形態に係る無線通信装置１００は、無線通信を行う装置である。
【００７６】
更に、この無線通信装置１００は、
互いに異なる位置に配置された複数のアンテナ１０１ａ，１０１ｂ，…と、
ユーザが無線通信装置１００を保持している位置である保持位置を特定するための保持位置特定情報を取得し、複数のアンテナ１０１ａ，１０１ｂ，…の中から、当該取得された保持位置特定情報により特定される保持位置と異なる位置に配置されたアンテナを選択するアンテナ選択部（アンテナ選択手段）１０２と、
を備え、
上記選択されたアンテナを介して無線通信を行うように構成される。
【００７７】
保持位置に配置されたアンテナが送受信する無線信号は、ユーザ（の手）により減衰させられる。即ち、このアンテナを介した無線通信の品質は、低下（劣化）しやすい。そこで、上記のように無線通信装置１００を構成することにより、無線通信装置１００は、保持位置と異なる位置に配置されたアンテナを介して無線通信を行うことができる。この結果、無線通信の品質が過度に低下することを防止することができる。
【００７８】
更に、上記構成によれば、受信レベルを検出する回路を設けるとともに、検出した受信レベルを比較するための回路を設ける必要がない。従って、無線通信装置１００の大きさを小さくすることができる。また、検出した受信レベルを比較するための処理を処理装置が実行する必要がないので、無線通信装置１００が処理装置を備える場合には処理負荷が過大となることを防止することもできる。
【００７９】
この場合、上記無線通信装置は、
上記保持位置特定情報と、上記アンテナを特定するためのアンテナ特定情報と、を対応付けて記憶する情報記憶手段を備え、
上記アンテナ選択手段は、上記取得された保持位置特定情報と対応付けて上記記憶されているアンテナ特定情報により特定される上記アンテナを選択するように構成されることが好適である。
【００８０】
この場合、上記無線通信装置は、
画像を表す画像情報を生成する画像情報生成手段と、
上記生成された画像情報が表す画像を表示する表示器と、
を備え、
上記画像情報生成手段は、上記表示器に対する上記画像の回転位置である画像回転位置を、互いに異なる複数の画像回転位置から選択し、当該選択した画像回転位置を有する画像を表す上記画像情報を生成するように構成され、
上記アンテナ選択手段は、上記選択された画像回転位置を表す画像回転位置情報を上記保持位置特定情報として取得するように構成されることが好適である。
【００８１】
ところで、表示器に対する画像の回転位置が変化した場合、ユーザは、保持位置を変更することが多い。従って、上記構成によれば、実際の保持位置に応じた保持位置特定情報を高い精度にて取得することができる。
【００８２】
この場合、上記アンテナ選択手段は、上記選択された画像回転位置が変化した時点から、予め設定された遅延時間が経過した後に、当該変化後の画像回転位置を表す画像回転位置情報を上記保持位置特定情報として取得するように構成されることが好適である。
【００８３】
ところで、表示器に表示される画像の画像回転位置が変化した場合、画像回転位置が変化した時点から、ユーザが無線通信装置の保持位置を変更するまでには、遅延時間を要することが多い。従って、上記構成によれば、実際に保持位置が変化したタイミングと、選択されるアンテナを変更するタイミングと、をより一層近づけることができる。この結果、無線通信の品質が過度に低下することをより一層確実に防止することができる。
【００８４】
また、上記無線通信装置の他の態様において、
上記アンテナ選択手段は、ユーザに対する上記無線通信装置の回転位置である装置回転位置を検出し、当該検出された装置回転位置を表す装置回転位置情報を上記保持位置特定情報として取得するように構成されることが好適である。
【００８５】
ところで、ユーザは、ユーザに対する無線通信装置の回転位置を変更する際、保持位置を変更することが多い。従って、上記構成によれば、実際の保持位置に応じた保持位置特定情報を高い精度にて取得することができる。
【００８６】
この場合、上記アンテナ選択手段は、地磁気を検出する地磁気センサを含み、当該地磁気センサにより検出された地磁気に基づいて上記装置回転位置を検出するように構成されることが好適である。
【００８７】
また、上記無線通信装置の他の態様において、
上記アンテナ選択手段は、上記保持位置を検出し、当該検出された保持位置を表す保持位置情報を上記保持位置特定情報として取得するように構成されることが好適である。
【００８８】
この場合、上記アンテナ選択手段は、光の強度を検出する光センサを含み、当該光センサにより検出された光の強度に基づいて上記保持位置を検出するように構成されることが好適である。
【００８９】
また、本発明の他の態様に係る無線通信装置は、
画像を表す画像情報を生成する画像情報生成手段と、
上記生成された画像情報が表す画像を表示する表示器と、
を備え、
上記画像情報生成手段は、上記表示器に対する上記画像の回転位置である画像回転位置を、互いに異なる複数の画像回転位置から選択し、当該選択した画像回転位置を有する画像を表す上記画像情報を生成するように構成され、
上記アンテナ選択手段は、ユーザに対する上記無線通信装置の回転位置である装置回転位置を検出し、当該検出された装置回転位置を表す装置回転位置情報と、上記選択された画像回転位置を表す画像回転位置情報と、に基づいて上記保持位置特定情報を取得するように構成されることが好適である。
【００９０】
これによれば、装置回転位置情報及び画像回転位置情報のいずれか一方に基づいて保持位置特定情報を取得する場合よりも、実際の保持位置に応じた保持位置特定情報を高い精度にて取得することができる。
【００９１】
この場合、上記複数のアンテナは、
ユーザに対する当該無線通信装置の回転位置である装置回転位置が第１の装置回転位置である場合に、当該ユーザとの間の距離が最も長くなる端部である第１の端部に配置された第１のアンテナと、
上記装置回転位置が、上記第１の装置回転位置と異なる第２の装置回転位置である場合に、上記ユーザとの間の距離が最も長くなる端部である第２の端部に配置された第２のアンテナと、
を含み、
上記アンテナ選択手段は、上記第１のアンテナ及び上記第２のアンテナのいずれか一方を選択するように構成されることが好適である。
【００９２】
ところで、ユーザは、無線通信装置の端部のうちの、当該ユーザとの間の距離が最も短くなる端部を保持することが多い。従って、上記構成によれば、装置回転位置が第１の装置回転位置である場合には、第１のアンテナの位置が保持位置と異なる位置となり、一方、装置回転位置が第２の装置回転位置である場合には、第２のアンテナの位置が保持位置と異なる位置となる。この結果、無線通信装置は、装置回転位置が第１の装置回転位置及び第２の装置回転位置のいずれである場合においても、保持位置と異なる位置に配置されたアンテナを確実に選択することができる。
【００９３】
また、本発明の他の形態である携帯電話装置は、無線通信を行う装置である。
更に、この携帯電話装置は、
互いに異なる位置に配置された複数のアンテナと、
ユーザが当該携帯電話装置を保持している位置である保持位置を特定するための保持位置特定情報を取得し、上記複数のアンテナの中から、当該取得された保持位置特定情報により特定される保持位置と異なる位置に配置されたアンテナを選択するアンテナ選択手段と、
を備え、
上記選択されたアンテナを介して無線通信を行うように構成される。
【００９４】
この場合、上記携帯電話装置は、
上記保持位置特定情報と、上記アンテナを特定するためのアンテナ特定情報と、を対応付けて記憶する情報記憶手段を備え、
上記アンテナ選択手段は、上記取得された保持位置特定情報と対応付けて上記記憶されているアンテナ特定情報により特定される上記アンテナを選択するように構成されることが好適である。
【００９５】
この場合、上記携帯電話装置は、
画像を表す画像情報を生成する画像情報生成手段と、
上記生成された画像情報が表す画像を表示する表示器と、
を備え、
上記画像情報生成手段は、上記表示器に対する上記画像の回転位置である画像回転位置を、互いに異なる複数の画像回転位置から選択し、当該選択した画像回転位置を有する画像を表す上記画像情報を生成するように構成され、
上記アンテナ選択手段は、上記選択された画像回転位置を表す画像回転位置情報を上記保持位置特定情報として取得するように構成されることが好適である。
【００９６】
また、上記携帯電話装置の他の態様において、
上記アンテナ選択手段は、ユーザに対する上記携帯電話装置の回転位置である装置回転位置を検出し、当該検出された装置回転位置を表す装置回転位置情報を上記保持位置特定情報として取得するように構成されることが好適である。
【００９７】
また、上記携帯電話装置の他の態様において、
上記アンテナ選択手段は、上記保持位置を検出し、当該検出された保持位置を表す保持位置情報を上記保持位置特定情報として取得するように構成されることが好適である。
【００９８】
また、本発明の他の形態である無線通信方法は、
互いに異なる位置に配置された複数のアンテナを備えるとともに、無線通信を行う無線通信装置に適用され、
ユーザが当該無線通信装置を保持している位置である保持位置を特定するための保持位置特定情報を取得し、
上記複数のアンテナの中から、上記取得された保持位置特定情報により特定される保持位置と異なる位置に配置されたアンテナを選択し、
上記選択されたアンテナを介して無線通信を行う方法である。
【００９９】
この場合、上記無線通信方法は、
上記保持位置特定情報と、上記アンテナを特定するためのアンテナ特定情報と、を対応付けて記憶する記憶装置に、上記取得された保持位置特定情報と対応付けて記憶されているアンテナ特定情報により特定される上記アンテナを選択するように構成されることが好適である。
【０１００】
この場合、上記無線通信装置は、画像情報が表す画像を表示する表示器を備え、
上記無線通信方法は、
上記表示器に対する上記画像の回転位置である画像回転位置を、互いに異なる複数の画像回転位置から選択し、
上記選択された画像回転位置を有する画像を表す上記画像情報を生成し、
上記選択された画像回転位置を表す画像回転位置情報を上記保持位置特定情報として取得するように構成されることが好適である。
【０１０１】
また、本発明の他の態様に係る無線通信方法は、
ユーザに対する上記無線通信装置の回転位置である装置回転位置を検出し、
上記検出された装置回転位置を表す装置回転位置情報を上記保持位置特定情報として取得するように構成されることが好適である。
【０１０２】
また、本発明の他の態様に係る無線通信方法は、
上記保持位置を検出し、
上記検出された保持位置を表す保持位置情報を上記保持位置特定情報として取得するように構成されることが好適である。
【０１０３】
また、本発明の他の形態であるプログラムは、
互いに異なる位置に配置された複数のアンテナを備えるとともに、無線通信を行う無線通信装置に、
ユーザが当該無線通信装置を保持している位置である保持位置を特定するための保持位置特定情報を取得し、上記複数のアンテナの中から、当該取得された保持位置特定情報により特定される保持位置と異なる位置に配置されたアンテナを選択するアンテナ選択手段を実現させるとともに、
上記選択されたアンテナを介して無線通信を行わせる。
【０１０４】
この場合、上記アンテナ選択手段は、上記保持位置特定情報と、上記アンテナを特定するためのアンテナ特定情報と、を対応付けて記憶する記憶装置に、上記取得された保持位置特定情報と対応付けて記憶されているアンテナ特定情報により特定される上記アンテナを選択するように構成されることが好適である。
【０１０５】
この場合、上記無線通信装置は、画像情報が表す画像を表示する表示器を備え、
上記無線通信装置に、更に、
画像を表す画像情報を生成する画像情報生成手段を実現させるとともに、
上記画像情報生成手段は、上記表示器に対する上記画像の回転位置である画像回転位置を、互いに異なる複数の画像回転位置から選択し、当該選択した画像回転位置を有する画像を表す上記画像情報を生成するように構成され、
上記アンテナ選択手段は、上記選択された画像回転位置を表す画像回転位置情報を上記保持位置特定情報として取得するように構成されることが好適である。
【０１０６】
また、上記プログラムの他の態様において、
上記無線通信装置は、ユーザに対する上記無線通信装置の回転位置である装置回転位置を検出する装置回転位置検出器を備え、
上記アンテナ選択手段は、上記検出された装置回転位置を表す装置回転位置情報を上記保持位置特定情報として取得するように構成されることが好適である。
【０１０７】
また、上記プログラムの他の態様において、
上記無線通信装置は、上記保持位置を検出する保持位置検出器を備え、
上記アンテナ選択手段は、上記検出された保持位置を表す保持位置情報を上記保持位置特定情報として取得するように構成されることが好適である。
【０１０８】
上述した構成を有する、携帯電話装置、無線通信方法、又は、プログラム、の発明であっても、上記無線通信装置と同様の作用を有するために、上述した本発明の目的を達成することができる。
【０１０９】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１１０】
例えば、上記各実施形態において、無線通信装置１は、折り畳み式の装置であったが、第１の本体部と、第２の本体部と、を平行に移動可能に構成されたスライド式の装置であってもよい。また、無線通信装置１は、１つの本体部からなるストレート式の装置であってもよい。
【０１１１】
また、上記各実施形態において、無線通信装置１は、携帯電話装置であったが、ＰＤＡ（Ｐｅｒｓｏｎａｌ  Ｄａｔａ  Ａｓｓｉｓｔａｎｃｅ）、ノートパソコン（ラップトップパソコン）、電子辞書装置、スマートフォン、ＰＨＳ（Ｐｅｒｓｏｎａｌ  Ｈａｎｄｙｐｈｏｎｅ  Ｓｙｓｔｅｍ）、オーディオ装置、ナビゲーション装置又はゲーム機等であってもよい。
【０１１２】
なお、上記各実施形態において無線通信装置１の各機能は、回路等のハードウェアにより実現されていた。ところで、無線通信装置１は、処理装置が記憶装置に記憶されているプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１１３】
また、上記実施形態の他の変形例として、上述した実施形態及び変形例の任意の組み合わせが採用されてもよい。
【０１１４】
なお、本発明は、日本国にて２００９年１０月１９日に出願された特願２００９−２４０１４１の特許出願に基づく優先権主張の利益を享受するものであり、当該特許出願にて開示された内容のすべてが本明細書に含まれるものとする。
【産業上の利用可能性】
【０１１５】
本発明は、携帯電話装置、及び、無線通信を行う携帯型ゲーム機等に適用可能である。
【符号の説明】
【０１１６】
１      無線通信装置
１０    第１の本体部
１１    第１の表示器
２０    第２の本体部
２１    第２の表示器
２２    ボタン式スイッチ
３０    ヒンジ部
４１    アンテナ
４２    アンテナ（第２のアンテナ）
４３    アンテナ（第１のアンテナ）
５１    制御部
５２    無線送受信部
５３    無線受信部
５４    高周波スイッチ
５５    地磁気センサ
５６    光センサ
１００  無線通信装置
１０１ａ，１０１ｂ，…  アンテナ
１０２  アンテナ選択部
【図１】
2011048747.tif 000003
【図２】
2011048747.tif 000004
【図３】
2011048747.tif 000005
【図４】
2011048747.tif 000006
【図５】
2011048747.tif 000007
【図６】
2011048747.tif 000008
【図７】
2011048747.tif 000009
【図８】
2011048747.tif 000010
【国際調査報告】
2011048747.tif 000011
2011048747.tif 000012
2011048747.tif 000013
2011048747.tif 000014